(57)【要約】【課題】安定した読取りを行なうことができる画像読取装置を提供する。【解決手段】２次元に配列された複数の画素８を有する読取部を用いて原稿６の読取りを行なう密着型画像読取装置において、複数の画素８のそれぞれは、原稿からの光を検出する光電変換部と、原稿を照射する光源とを含む。読取部は、光を透過させることができるように構成されており、読取部の光の透過状態は液晶層９により制御される。原稿の非読取時には、液晶層９が透過状態になることで、読取部を通して作業者が原稿６を見ることができる。原稿の読取時には、液晶層９が遮光状態になることで、原稿６および光電変換部への外光１０の入射が遮断される。【選択図】図６
2010087813.tif 000002
【特許請求の範囲】
【請求項１】
２次元に配列された複数の画素を有する読取部を用いて原稿の読取りを行なう画像読取装置であって、
前記複数の画素のそれぞれは、前記原稿からの光を検出する光電変換部を含み、
前記読取部は、光を透過させることができるように構成されており、
前記原稿を照射する光源と、
前記読取部の光の透過状態を制御する透過光コントロール層とを備えた、画像読取装置。
【請求項２】
前記光源は、前記複数の画素のそれぞれに設けられる、原稿に光を照射する略透明な発光部である、請求項１に記載の画像読取装置。
【請求項３】
前記透過光コントロール層は、外光の入射をコントロールする層であり、
原稿の非読取時には、前記透過光コントロール層が透過状態になることで、前記読取部を通して作業者が原稿を見ることができ、
原稿の読取時には、前記透過光コントロール層が遮光状態になることで、前記原稿および前記光電変換部への外光の入射が遮断される、請求項１または２に記載の画像読取装置。
【請求項４】
前記読取部は、一方の面が原稿と接する面であり、
前記透過光コントロール層は、前記一方の面とは異なる他方の面に設けられる、請求項１から３のいずれかに記載の画像読取装置。
【請求項５】
前記光源は、前記透過光コントロール層が遮光状態になったときに、原稿面に光を照射することができる位置に設けられ、
前記光電変換部は、前記透過光コントロール層が遮光状態になったときに、前記光源の照射による原稿からの反射光を検出する、請求項１から４のいずれかに記載の画像読取装置。
【請求項６】
前記光源、前記光電変換部、および前記透過光コントロール層を画素毎に制御するためのアクティブマトリクス型の回路構成、および駆動回路を備えた、請求項１から５のいずれかに記載の画像読取装置。
【請求項７】
前記光電変換部および前記光源を含む層は、前記透過光コントロール層の両面に備えられる、請求項１から６のいずれかに記載の画像読取装置。
【請求項８】
前記光源として、エレクトロルミネッセンス素子を用い、画素毎に配置した薄膜トランジスタにより、その発光を制御する、請求項１から７のいずれかに記載の画像読取装置。
【請求項９】
前記光源として、赤色、青色、および緑色に発光する素子を用い、各色ごとに配置した薄膜トランジスタを用いて発光を制御することにより、カラー画像情報を検出する、請求項１から８のいずれかに記載の画像読取装置。
【請求項１０】
前記透過光コントロール層として、液晶パネルを用い、画素毎に配置した薄膜トランジスタにより、光の透過量を制御する、請求項１から９のいずれかに記載の画像読取装置。
【請求項１１】
２次元に配列された複数の画素を有する読取部を用いて原稿の読取りを行なう画像読取装置の制御方法であって、
前記複数の画素のそれぞれは、前記原稿からの光を検出する光電変換部を含み、
前記読取部は、光を透過させることができるように構成されており、前記原稿を照射する光源を備え、
前記読取部の光の透過状態を制御する透過光コントロールステップを備えた、画像読取装置の制御方法。
【請求項１２】
２次元に配列された複数の画素を有する読取部を用いて原稿の読取りを行なう画像読取装置の制御プログラムであって、
前記複数の画素のそれぞれは、前記原稿からの光を検出する光電変換部を含み、
前記読取部は、光を透過させることができるように構成されており、前記原稿を照射する光源を備え、
前記読取部の光の透過状態を制御する透過光コントロールステップをコンピュータに実行させる、画像読取装置の制御プログラム。
【発明の詳細な説明】
【技術分野】
【０００１】
この発明は画像読取装置、画像読取装置の制御方法、および画像読取装置の制御プログラムに関し、特に、２次元の画像を読取ることができる画像読取装置、画像読取装置の制御方法、および画像読取装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機など）には、紙の文書から画像を読取るイメージスキャナ（画像読取装置の一例）が備えられている。
【０００３】
イメージスキャナとして現在一般的に利用されているものは、縮小光学系の装置である。縮小光学系には、ミラースキャン方式とユニットスキャン方式とがある。
【０００４】
これら縮小光学系の方式では、いずれもユニットに１次元センサを搭載し、それを走査することで２次元画像を読み取っている。従ってユニットが走査する時間がかかるため、高速化に限界がある。
【０００５】
そこで、将来的にはメカ移動機構のないセンサを原稿設置面全体に配置することでエリアセンサとし、省スペースかつ短時間で画像を読取ることができるスキャナが提案されている。２次元エリアセンサは短時間で（瞬時に）積載原稿データを読取ることができ、読取りセンサを搭載したモジュールが移動することがないので、モジュール移動時に発生する振動の影響がなく、画質も向上する（ピッチムラや色ずれを少なくすることができる）という効果がある。これにより２次元エリアセンサは、将来のスキャナとして注目されている。
【０００６】
２次元画像読取装置（エリアセンサ）を構成する各画素には、ＲＧＢの各色光源部と受光センサ部（光電変換部）とが備えられる。読取時は、ＲＧＢ各色光源を順次点灯し、原稿から反射した光を受光センサ部で読取る。そしてＲＧＢ各色のデータを重ね合わせて出力とする。
【０００７】
下記特許文献１には、ｍ×ｎのセルのアレイを備え、各セルが所定の物理量を検出し、そのセンサに接続されたスイッチング機能を有する有機セルを備えたフレキシブル検知装置が開示されている。特許文献１には、外光による原稿面反射光をセンサで検知し、画像読取を行なう構成が開示されている。
【０００８】
下記非特許文献１には、略透明な２次元フィルム状の画像読取装置が開示されている。非特許文献１には、画像読取時に、外光が直接センサに当たって光を検出しないように、固定の遮光層を読取面の反対面に配置させた構造を有するフレキシブルな密着型シートスキャナが開示されている。これにより、開口部から入射し、原稿面で反射した光だけをセンサで検出することができる。
【特許文献１】特開２００５−１５０１４６号公報
【非特許文献１】染谷隆夫ほか、“Research Projects：大面積エレクトロニクス”、［online］、東京大学工学系研究科附属量子相エレクトロニクス研究センター、染谷研究室、［平成２００８年９月２９日検索］、インターネット＜http://www.ntech.t.u-tokyo.ac.jp/Research/Research_project/Research_project_large_area_electronics/Research_project_large_area_electronics.html＞
【発明の開示】
【発明が解決しようとする課題】
【０００９】
しかしながら、外光の光量は作業する場所により変化する。これにより、読取画像のノイズ量コントロールが難しく、ざらつき感のある画像になる恐れがある。さらに、作業者や本などの影が、外光の光量むらを発生させ、読取画像に濃度むらが発生する恐れがある。
【００１０】
また、特に従来の画像読取装置を本等に挟んだ場合には、全く光源を確保できないため、画像を読取ることができない。すなわち、画像読取時の作業条件が制限されるという問題がある
【００１１】
この発明はそのような問題点を解決するためになされたものであり、安定した読取りを行なうことができる画像読取装置、画像読取装置の制御方法、および画像読取装置の制御プログラムを提供することを目的としている。
【課題を解決するための手段】
【００１２】
上記目的を達成するためこの発明のある局面に従うと、画像読取装置は、２次元に配列された複数の画素を有する読取部を用いて原稿の読取りを行なう画像読取装置であって、複数の画素のそれぞれは、原稿からの光を検出する光電変換部を含み、読取部は、光を透過させることができるように構成されており、原稿を照射する光源と、読取部の光の透過状態を制御する透過光コントロール層とを備える。
【００１３】
好ましくは光源は、複数の画素のそれぞれに設けられる、原稿に光を照射する略透明な発光部である。
【００１４】
好ましくは透過光コントロール層は、外光の入射をコントロールする層であり、原稿の非読取時には、透過光コントロール層が透過状態になることで、読取部を通して作業者が原稿を見ることができ、原稿の読取時には、透過光コントロール層が遮光状態になることで、原稿および光電変換部への外光の入射が遮断される。
【００１５】
好ましくは読取部は、一方の面が原稿と接する面であり、透過光コントロール層は、一方の面とは異なる他方の面に設けられる。
【００１６】
好ましくは光源は、透過光コントロール層が遮光状態になったときに、原稿面に光を照射することができる位置に設けられ、光電変換部は、透過光コントロール層が遮光状態になったときに、光源の照射による原稿からの反射光を検出する。
【００１７】
好ましくは画像読取装置は、光源、光電変換部、および透過光コントロール層を画素毎に制御するためのアクティブマトリクス型の回路構成、および駆動回路を備える。
【００１８】
好ましくは光電変換部および光源を含む層は、透過光コントロール層の両面に備えられる。
【００１９】
好ましくは画像読取装置は、光源として、エレクトロルミネッセンス素子を用い、画素毎に配置した薄膜トランジスタにより、その発光を制御する。
【００２０】
好ましくは画像読取装置は、光源として、赤色、青色、および緑色に発光する素子を用い、各色ごとに配置した薄膜トランジスタを用いて発光を制御することにより、カラー画像情報を検出する。
【００２１】
好ましくは画像読取装置は、透過光コントロール層として液晶パネルを用い、画素毎に配置した薄膜トランジスタにより、光の透過量を制御する。
【００２２】
この発明の他の局面に従うと、２次元に配列された複数の画素を有する読取部を用いて原稿の読取りを行なう画像読取装置の制御方法において、複数の画素のそれぞれは、原稿からの光を検出する光電変換部を含み、読取部は、光を透過させることができるように構成されており、原稿を照射する光源を備え、方法は、読取部の光の透過状態を制御する透過光コントロールステップを備える。
【００２３】
この発明のさらに他の局面に従うと、２次元に配列された複数の画素を有する読取部を用いて原稿の読取りを行なう画像読取装置の制御プログラムにおいて、複数の画素のそれぞれは、原稿からの光を検出する光電変換部を含み、読取部は、光を透過させることができるように構成されており、原稿を照射する光源を備え、プログラムは、読取部の光の透過状態を制御する透過光コントロールステップをコンピュータに実行させる。
【発明の効果】
【００２４】
これらの発明に従うと、安定した読取りを行なうことができる画像読取装置、画像読取装置の制御方法、および画像読取装置の制御プログラムを提供することが可能となる。
【発明を実施するための最良の形態】
【００２５】
以下、本発明の実施の形態における、画像読取装置について説明する。画像読取装置は、２次元に配列された複数の撮像素子を供える。画像読取装置は、等倍結像（センサ（撮像素子）自体の解像度と原稿自体の読取解像度とが等しい）方式を採用する。すなわち画像読取装置は、原稿の画像情報をエリアタイプのイメージセンサ部で読取り、光電変換、画像処理を行なう密着型２次元画像読取装置である。
【００２６】
画像読取装置は、発光層と、その発光輝度や発光タイミングをコントロールする発光制御部と、載置された原稿の反射光を検出する光電変換層と、光電変換層で発生した信号電荷を画像データ（画像信号）に変換し、処理する画像信号制御部とを備える。
【００２７】
撮像素子としてはフォトダイオードが用いられる。１画素は、ＥＬ（エレクトロルミネッセンス）素子とフォトダイオードと薄膜トランジスタとで構成される。光源はＥＬ素子でなくともよい。
【００２８】
密着型２次元画像読取装置は、略透明（一部透明）であり、略透明な発光部と、外光の影響を遮断するための透過光コントロール層とを有する。画像読取装置を原稿の上に載せた状態で、非読取時には、外光による原稿面での反射光は画像読取装置を透過する。これにより、読取範囲を作業者が確認することができる。原稿読取時には、透過光コントロール層により外光の影響（外光の入射）が遮断される。原稿読取時には、画素の光源が点灯する。これにより、外光の影響を受けることなく、均一且つ読取に十分な光量の光源を用いた読取りが実現される。結果として、画像ノイズ量や濃度むらを抑制することが可能となる。
【００２９】
透過光コントロール層としては、例えば液晶シャッタのような液晶層を用いることができるが、光の透過の程度をコントロールすることができる層であれば、どのようなものを用いてもよい。
【００３０】
［第１の実施の形態］
【００３１】
図１は、本発明の第１の実施の形態における画像読取装置の全体の外観を示す斜視図である。
【００３２】
図を参照して、画像読取装置１は、２次元に配列された複数の撮像素子を含む読取部２を備える。画像読取装置１は、好ましくはフィルム状の曲がりやすい形状、物性を有する。これにより、画像読取装置を原稿の上、または曲面上に密着させ、その面の画像の読取りを行なうことができる。画像読取装置１は、少なくとも一部において光を透過させることが可能である。これにより、画像読取装置１を原稿６の上に載せた状態で、その利用者（作業者）は原稿を画像読取装置から透かして見ることができる。すなわち、作業者は読取範囲を容易に確認することができる
【００３３】
図２は、画像読取装置の平面図である。
【００３４】
読取部２は、複数の画素部３で構成される。１つの画素部３は、少なくとも一部光を通す光源部４と、センサ部５とで構成されている。光源部は、ＲＥＤ光源、ＧＲＥＥＮ光源、およびＢＬＵＥ光源を含む（それぞれを異なるハッチングで示す）。
【００３５】
図３は、読取部２の断面構成の概略を示す図である。
【００３６】
読取部２は、原稿６に近い側から、光源／センサ層８と、電源供給および制御用の透明なＩＴＯ（酸化インジウム錫）層７と、透過光をコントロールする（読取部２における光の透過度を制御する）ための液晶層９とが積層された構成を有する。
【００３７】
画像読取時、点灯対象画素の光源／センサ層８の光源部４に電源が供給され、その画素が点灯する。発生した光は原稿６に照射される。これにより、原稿の濃度に応じた反射光が発生する。
【００３８】
なおこのとき、液晶層９は光を透過させない状態（または透過の度合いが少ない状態）となっている。これにより、外光がセンサ部５に入射することが防止される。
【００３９】
読取対象画素のセンサ部５は、原稿からの反射光を受光し、光電変換により反射光に応じた電圧を発生させる。各画素で発生した電圧が検出され、画像処理部で原稿の２次元画像が再構成される。
【００４０】
各画素部３の光源部４で、赤色、青色、緑色の３色が順次個別に点灯し、各色の光の点灯時にセンサ部５で発生する電圧を検出することにより、カラー読取りも可能である。
【００４１】
光源の点灯については、読取対象画素に対し、読取対象画素の光源のみ点灯させてもよいし、隣接する画素の光源も点灯させてもよいし、全画素の光源を点灯させてもよい。
【００４２】
図４は、画像読取装置の回路構成を示すブロック図である。
【００４３】
読取部２には、縦横に複数の画素部３が設けられる。列方向駆動回路１２５と、行方向駆動回路１２７とによりＸ，Ｙ方向のどの画素を発光させるか、Ｘ，Ｙ方向のどの画素で画像の読取を行なうか、Ｘ，Ｙ方向のどの画素を発光も読取りも行なわない待機状態とさせるかが制御される。列方向駆動回路１２５および行方向駆動回路１２７は、画素部３の光電変換層で発生した信号電荷を画像信号として処理する画像信号制御部の機能を備える。
【００４４】
また列方向駆動回路１２５と、行方向駆動回路１２７とにより、液晶層９のＸ，Ｙ方向のどの画素において、光を透過させる状態とするか、透過させない状態とするかが制御される。
【００４５】
各画素部には、薄膜トランジスタが配置され、これにより発光が制御される。
【００４６】
列方向駆動回路１２５および行方向駆動回路１２７のそれぞれは、駆動回路１２３に接続され、ＣＰＵ１２１により駆動される。すなわち外部からの読取命令に従って読取部２は読取動作を開始し、それにより得られた読取りデータはＣＰＵ１２１を介して出力される。
【００４７】
画像読取装置は、複写機、スキャナ等に搭載される。
【００４８】
なお液晶層９においては、光を透過させる状態とするか、透過させない状態とするかを画素ごとに制御可能としてもよいし、光を透過させる状態とするか、透過させない状態とするかを、読取エリア全て（全ての画素）で一括して制御することとしてもよい。
【００４９】
このように画像読取装置は、発光部、光電変換部、および透過光コントロール層を画素毎に制御するためのアクティブマトリクス型の回路構成および駆動回路を備えている。
【００５０】
図５は、図３において画像読取装置の非読取時の外光の反射を示す図である。
【００５１】
非読取時には、液晶層９は透過状態となるように制御される。これにより、液晶層９、ＩＴＯ層７、および透明な光源部4を通って原稿６に外光１０が照射される。原稿６からの反射光は、再度光源部４、ＩＴＯ層７、および液晶層９を通って画像読取装置外に反射される。これにより、作業者は読取範囲の原稿内容を確認することができる。
【００５２】
図６は、図３において画像読取装置の読取時の外光の反射を示す図である。
【００５３】
これは、画像読取装置が作動時の状態を示している。
【００５４】
読取時には、液晶層９が遮光状態になるように制御される。これにより、外光１０は液晶層９にて反射または吸収され、センサ側には入射しなくなる。光源／センサ層８では、光源部４が発光することで、照射光１１が照射される。原稿６にて反射される反射光１２がセンサ部５で検出される。
【００５５】
センサ部５で検出された画像信号は、駆動回路部１２３を通ってＣＰＵ１２１内の図示しないメモリ部に画像情報として蓄積される。
【００５６】
また、各画素部３の光源部４は、赤色、青色、緑色の３つの発光部に分割されている。３色光が順次個別に点灯し、各色光の点灯時にセンサ部５で発生する画像信号を検出することにより、カラー読取りが可能である。勿論光源部４は、カラー対応でなく、１色の発光のみを行なう構成でもよい。
【００５７】
以上説明の通り、密着型２次元画像読取装置は、略透明（一部透明）な読取部を備え、利用者にとって原稿画像が読取部を通して確認できる構成を持つ。非読取時には、外光による原稿面での反射光は読取装置を透過する。これにより利用者は、読取範囲を確認することができる。原稿読取時には、外光の影響を受けることなく、均一且つ読取に十分な光量の光源により読取りを行なうことができる。これにより、画像ノイズ量や濃度むらを抑制することができる。また、画像読取作業時の制約（本に挟んだままでは画像の読取りができない、センサ部に当たる外光に影を作ってはいけない等の制約）を回避することができる。
【００５８】
［第２の実施の形態］
【００５９】
図７は、第２の実施の形態における画像読取装置の読取時の外光の反射を示す図であり、図６に対応する図である。
【００６０】
第２の実施の形態においても、非読取時には、液晶層９は透過状態となるように制御される（図５）。
【００６１】
図７に示されるように読取時には、読取りを実行する画素の近辺の画素の液晶層９のみが遮光状態になるように制御される。これにより、読取画素近辺において、外光１０は液晶層９にて反射または吸収され、センサ側には入射しなくなる。光源／センサ層８では、読取画素近辺において光源部４が発光することで、照射光１１が照射される。原稿６にて反射される反射光１２がセンサ部５で検出される。
【００６２】
また、読取画素近辺以外では、液晶層９は透過状態となるように制御される。これにより、読取画素近辺以外では、液晶層９、ＩＴＯ層７、および透明な光源部4を通って原稿６に外光１０が照射される。原稿６からの反射光は、再度光源部４、ＩＴＯ層７、および液晶層９を通って画像読取装置外に反射される。これにより、作業者は読取画素近辺以外においては、読取範囲の原稿内容を確認することができる。
【００６３】
図８は、第２の実施の形態における画像読取装置の読取部２の平面図である。
【００６４】
ハッチングで示されるラインは、原稿の読取を行なっている読取画素からなるラインを示す。このラインの位置において、液晶層９は遮光状態となる。それ以外の位置においては、液晶層９は透過状態となるように制御される。ハッチングで示されるラインを矢印方向にスキャンすることで、読取部２全面の画像データを取得することができる。
【００６５】
［第３の実施の形態］
【００６６】
図９は、第３の実施の形態における画像読取装置の使用状態を示す図である。
【００６７】
ここでは原稿６は１冊の本のページであり、それに読取部２を有する２次元画像読取装置１を接触させて読取りを行なう状況を示している。
【００６８】
本を開いた状態で２次元画像読取装置１を本に接触させて、２次元画像読取装置１の片面を用いてそのページの画像を読取ることも可能であるし、２次元画像読取装置１を本に挟み、本を閉じた状態で２次元画像読取装置１の両面を用いて、２次元画像読取装置１が接触する両ページの画像を読取ることも可能である。
【００６９】
図１０は、第３の実施の形態における画像読取装置の読取部２の断面構成の概略を示す図である。
【００７０】
読取部２は、画像読取装置の両面にある原稿を同時に読取ることができるよう構成される。
【００７１】
読取部２は、透過光をコントロールするための液晶層９を中心として、液晶層９に隣接する両面に、電源供給および制御用の透明なＩＴＯ層７ａ，７ｂを備える。ＩＴＯ層７ａ，７ｂの原稿に近い側の面にそれぞれ、光源／センサ層８ａ，８ｂが配置される。光源／センサ層８ａ，８ｂのそれぞれにより、原稿６ａ，６ｂの読取りが行なわれる。
【００７２】
画像読取時、点灯対象画素の光源／センサ層８ａ，８ｂの光源部４に電源が供給され、その画素が点灯する。発生した光は原稿６（６ａ，６ｂ）に照射される。これにより、原稿の濃度に応じた反射光が発生する。
【００７３】
なおこのとき、液晶層９は光を透過させない状態（または透過の度合いが少ない状態）となっている。これにより、外光がセンサ部５に入射することが防止される。また、画像読取装置の表面と裏面とで光が干渉することが防止される。
【００７４】
読取対象画素のセンサ部５は、原稿からの反射光を受光し、光電変換により反射光に応じた電圧を発生させる。各画素で発生した電圧が検出され、画像処理部で原稿の２次元画像が再構成される。
【００７５】
各画素部３の光源部４で、赤色、青色、緑色の３色が順次個別に点灯し、各色の光の点灯時にセンサ部５で発生する電圧を検出することにより、カラー読取りも可能である。
【００７６】
光源の点灯については、読取対象画素に対し、読取対象画素の光源のみ点灯させてもよいし、隣接する画素の光源も点灯させてもよいし、全画素の光源を点灯させてもよい。
【００７７】
なお液晶層９においては、光を透過させる状態とするか、透過させない状態とするかを画素ごとに制御可能としてもよいし、光を透過させる状態とするか、透過させない状態とするかを、読取エリア全て（全ての画素）で一括して制御することとしてもよい。
【００７８】
図１１は、図１０において画像読取装置の非読取時の外光の反射を示す図である。
【００７９】
非読取時には、液晶層９は透過状態となるように制御される。これにより、液晶層９、ＩＴＯ層７ａ，７ｂ、および透明な光源部４を通って原稿６に外光１０が照射される。原稿６からの反射光は、再度光源部４、ＩＴＯ層７ａ，７ｂ、および液晶層９を通って画像読取装置外に反射される。これにより、作業者は読取範囲の原稿内容を確認することができる。
【００８０】
図１２は、図１０において画像読取装置の読取時の状態を示す図である。
【００８１】
これは、画像読取装置が作動時の状態を示している。特に、画像読取装置の両面同時読取時の状態を示している。
【００８２】
読取時には、液晶層９が遮光状態になるように制御される。これにより、液晶層９の上下の面は光学的に分離される。外光１０は図の上の原稿６ｂにて反射または吸収され、センサには入射しなくなる。光源／センサ層８では、光源部４が発光することで、照射光が照射される。すなわち、画像読取装置の各面で光源／センサ層８の光源部４が発光し、原稿６ａ，６ｂにて反射される反射光が、画像読取装置の各面のセンサ部５で検出される。
【００８３】
センサ部５で検出された画像信号は、駆動回路部１２３を通ってＣＰＵ１２１内の図示しないメモリ部に画像情報として蓄積される。
【００８４】
また、各画素部３の光源部４は、赤色、青色、緑色の３つの発光部に分割されている。３色光が順次個別に点灯し、各色光の点灯時にセンサ部５で発生する画像信号を検出することにより、カラー読取りが可能である。勿論光源部４は、カラー対応でなく、１色の発光のみを行なう構成でもよい。
【００８５】
以上説明の通り、密着型２次元画像読取装置は、略透明（一部透明）な読取部を備え、利用者にとって原稿画像が読取部を通して確認できる構成を持つ。非読取時には、外光による原稿面での反射光は読取装置を透過する。これにより利用者は、読取範囲を確認することができる。原稿読取時には、外光の影響を受けることなく、均一且つ読取に十分な光量の光源により読取りを行なうことができる。これにより、画像ノイズ量や濃度むらを抑制することができる。また、画像読取作業時の制約（本に挟んだままでは画像の読取りができない）を回避することができる。さらに第３の実施の形態では、本の見開き２ページ分などの原稿画像を一度に読取ることができる。
【００８６】
［その他］
【００８７】
なお、画像読取装置は薄いフィルム状などのフレキシブルな装置であってもよいし、そうでなくてもよい。
【００８８】
また、読取部は非読取時に少なくとも光をある程度透過させることができればよい（半透明、略透明であればよい）。例えば、透明な部分と回路の配線部分などの非透明な部分とが含まれており、光を透過させることができる構成であってもよい。さらに読取部は、読取時に非読取時よりも光の透過の程度を少なくさせることができればよい。
【００８９】
また、画素部の光源としては、エレクトロルミネッセンス素子を用い、画素毎に配置した薄膜トランジスタによりその発光を制御してもよいし、白色バックライト光源とカラーフィルタと液晶パネルを用い、画素毎に配置した薄膜トランジスタによりその発光を制御してもよい。すなわち、液晶表示装置に複数の読取素子を備えたタイプの画像読取装置にも本発明を適用することができる。
【００９０】
なお、特定位置の画素を撮像状態にして原稿の画像情報を読取る手法としては、画素部で発生した信号電荷をスイッチングによって電圧データとして検出する、いわゆるＣＭＯＳタイプの信号処理が有効である。
【００９１】
画像読取装置は、モノクロ／カラーの複写機、プリンタ、ファクシミリ装置やこれらの複合機（ＭＦＰ）などの画像形成装置に設けられてもよい。
【００９２】
上述の実施の形態における処理は、ソフトウエアによって行なっても、ハードウエア回路を用いて行なってもよい。
【００９３】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９４】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】本発明の第１の実施の形態における画像読取装置の全体の外観を示す斜視図である。
【図２】画像読取装置の平面図である。
【図３】読取部２の断面構成の概略を示す図である。
【図４】画像読取装置の回路構成を示すブロック図である。
【図５】図３において画像読取装置の非読取時の外光の反射を示す図である。
【図６】図３において画像読取装置の読取時の外光の反射を示す図である。
【図７】第２の実施の形態における画像読取装置の読取時の外光の反射を示す図であり、図６に対応する図である。
【図８】第２の実施の形態における画像読取装置の読取部２の平面図である。
【図９】第３の実施の形態における画像読取装置の使用状態を示す図である。
【図１０】第３の実施の形態における画像読取装置の読取部２の断面構成の概略を示す図である。
【図１１】図１０において画像読取装置の非読取時の外光の反射を示す図である。
【図１２】図１０において画像読取装置の読取時の状態を示す図である。
【符号の説明】
【００９６】
１  ２次元画像読取装置
２  読取部（原稿設置エリア）
３  画素部
４  光源部
５  センサ部
６  原稿
７  ＩＴＯ層
８  光源／センサ層
９  液晶層
１０  外光
１１  照射光
１２  反射光
【図１】
2010087813.tif 000003
【図２】
2010087813.tif 000004
【図３】
2010087813.tif 000005
【図４】
2010087813.tif 000006
【図５】
2010087813.tif 000007
【図６】
2010087813.tif 000008
【図７】
2010087813.tif 000009
【図８】
2010087813.tif 000010
【図９】
2010087813.tif 000011
【図１０】
2010087813.tif 000012
【図１１】
2010087813.tif 000013
【図１２】
2010087813.tif 000014